(57)【要約】      （修正有）【課題】印刷製版システムにおいて初校を出力の処理の段階においても検版を行うことのできることを目的とする。【解決手段】印刷物画像データを順次処理する複数の処理部を有する印刷製版システムであって、第１の印刷物画像データを処理し、第１の印刷物画像データが含む１つ以上の印刷物ページが第１の印刷物ページレイアウト条件に従って配置した第１の台紙画像データを作成する。他の製版処理を行って得られた第２の印刷物画像データを処理し、第２の印刷物画像データが含む１つ以上の印刷物ページを第１の印刷物ページレイアウト条件とは異なる第２のレイアウト条件に従って配置した第２の台紙画像データを作成する。第１と第２の印刷物ページレイアウト条件に従って、第１と第２の台紙画像データの中の同じ印刷物ページに対応する領域を比較することによって、第１と第２の台紙画像データの差異を検出する印刷製版システムの検版をする。【選択図】        図８
2004148734.tif 000002
【特許請求の範囲】
【請求項１】
印刷物画像データを順次処理する複数の処理部を有する印刷製版システムであって、
第１の印刷物画像データを処理することによって、前記第１の印刷物画像データが含む１つ以上の印刷物ページが第１の印刷物ページレイアウト条件に従って配置された第１の台紙画像データを作成する第１の処理部と、
前記第１の印刷物画像データに対して他の製版処理を行って得られた第２の印刷物画像データを処理することによって、前記第２の印刷物画像データが含む１つ以上の印刷物ページが前記第１の印刷物ページレイアウト条件とは異なる第２の印刷物ページレイアウト条件に従って配置された第２の台紙画像データを作成する第２の処理部と、
前記第１と第２の印刷物ページレイアウト条件に従って、前記第１と第２の台紙画像データの中の同じ印刷物ページに対応する領域を比較することによって、前記第１と第２の台紙画像データの差異を検出する検版実行部と、
を備える、印刷製版システム。
【請求項２】
請求項１に記載の印刷製版システムであって、
前記検版実行部は、前記第１と第２の台紙画像データにおける、前記比較の対象となる同じ印刷物ページの配置の角度が互いに異なる場合に、前記第１と第２の台紙画像データの少なくとも一方の前記比較に用いる領域を前記角度が同じとなるように回転させて前記比較を行う、印刷製版システム。
【請求項３】
複数の処理工程によって順次処理されてゆく印刷物画像を検査するための検版方法であって、
（ａ）第１の印刷物画像データを処理することによって、前記第１の印刷物画像データが含む１つ以上の印刷物ページが第１の印刷物ページレイアウト条件に従って配置された第１の台紙画像データを作成する処理工程と、
（ｂ）前記第１の印刷物画像データに対して他の製版処理を行って得られた第２の印刷物画像データを処理することによって、前記第２の印刷物画像データが含む１つ以上の印刷物ページが前記第１の印刷物ページレイアウト条件とは異なる第２の印刷物ページレイアウト条件に従って配置された第２の台紙画像データを作成する処理工程と、
（ｃ）前記第１と第２の印刷物ページレイアウト条件に従って、前記第１と第２の台紙画像データの中の同じ印刷物ページに対応する領域を比較することによって、前記第１と第２の台紙画像データの差異を検出する工程と、
を備えることを特徴とする検版方法。
【請求項４】
複数の処理工程によって順次処理されてゆく印刷物画像を検査するための検版を実現するためのコンピュータプログラムであって、
（ａ）第１の印刷物画像データを処理することによって、前記第１の印刷物画像データが含む１つ以上の印刷物ページが第１の印刷物ページレイアウト条件に従って配置された第１の台紙画像データを作成する機能と、
（ｂ）前記第１の印刷物画像データに対して他の製版処理を行って得られた第２の印刷物画像データを処理することによって、前記第２の印刷物画像データが含む１つ以上の印刷物ページが前記第１の印刷物ページレイアウト条件とは異なる第２の印刷物ページレイアウト条件に従って配置された第２の台紙画像データを作成する機能と、
（ｃ）前記第１と第２の印刷物ページレイアウト条件に従って、前記第１と第２の台紙画像データの中の同じ印刷物ページに対応する領域を比較することによって、前記第１と第２の台紙画像データの差異を検出する機能と、
をコンピュータに実現させるプログラムを含むコンピュータプログラム。
【発明の詳細な説明】
【０００１】
【発明の属する技術分野】
この発明は、複数の処理工程によって順次処理されてゆく印刷物画像を検査する技術に関する。
【０００２】
【従来の技術】
コンピュータ技術の進展に伴って、商業印刷用の製版システムにおいてもコンピュータを用いたデジタル化が普及してきている。デジタル化された印刷製版システムでは、印刷物データ（例えばＰＤＦデータやＰｏｓｔＳｃｒｉｐｔデータ。ＰｏｓｔＳｃｒｉｐｔはアドビシステムズ社の商標）を受け取り、この印刷物データに種々のデータ処理を行って２値の刷版データを作成し、この刷版データを用いて刷版または網フィルムが出力される。さらに最近では、印刷製版システムで２値の印刷データを作成し、この２値印刷データをオンデマンド印刷機に転送して直接印刷させるオンデマンド印刷も行われている。本明細書では、このような２値刷版データや２値印刷データを作成する処理の全体を「印刷製版」と呼んでいる。
【０００３】
印刷製版においては、クライアントの指示通りに印刷物画像を修正することが重要である。そのため、印刷物の校正と、校正結果が正しく反映されているか否かをチェックする検版とが念入りに行われる。デジタル化された印刷製版システムでは、校正前後の刷版データを比較することによって検版が行われている（例えば、特許文献１参照。）。
【０００４】
【特許文献１】
特開平１０−１５４２３４号公報
【０００５】
【発明が解決しようとする課題】
従来の検版処理では、校正前後の刷版データを比較していたので、初校を出力するための処理の段階では検版を行うことが不可能であった。そこで、従来から、初校の出力のための処理の段階においても検版を行うことができる技術が望まれていた。
【０００６】
本発明は、上述した従来の課題を解決するためのものであり、印刷製版システムにおいて初校を出力するための処理の段階においても検版を行うことのできる技術を提供することを目的とする。
【０００７】
【課題を解決するための手段およびその作用・効果】
上記課題の少なくとも一部を解決するために、この発明による印刷製版システムは、印刷物画像データを順次処理する複数の処理部を有する印刷製版システムであって、第１の印刷物画像データを処理することによって、前記第１の印刷物画像データが含む１つ以上の印刷物ページが第１の印刷物ページレイアウト条件に従って配置された第１の台紙画像データを作成する第１の処理部と、前記第１の印刷物画像データに対して他の製版処理を行って得られた第２の印刷物画像データを処理することによって、前記第２の印刷物画像データが含む１つ以上の印刷物ページが前記第１の印刷物ページレイアウト条件とは異なる第２の印刷物ページレイアウト条件に従って配置された第２の台紙画像データを作成する第２の処理部と、前記第１と第２の印刷物ページレイアウト条件に従って、前記第１と第２の台紙画像データの中の同じ印刷物ページに対応する領域を比較することによって、前記第１と第２の台紙画像データの差異を検出する検版実行部と、を備える。なお、台紙画像データとは、実際の印刷物の１つ以上のページが台紙上に配置された状態を表す画像データである。
【０００８】
この印刷製版システムによれば、印刷物ページレイアウト条件に基づいて、工程間にまたがる画像の比較検査を行うことができるので、各処理工程によって作成する台紙画像データの印刷物ページレイアウトが異なる場合でも、適切に、工程間にまたがる検版を行うことができる。
【０００９】
上記印刷製版システムにおいて、前記検版実行部は、前記第１と第２の台紙画像データにおける、前記比較の対象となる同じ印刷物ページの配置の角度が互いに異なる場合に、前記第１と第２の台紙画像データの少なくとも一方の前記比較に用いる領域を前記角度が同じとなるように回転させて前記比較を行うのが好ましい。
【００１０】
こうすることで、印刷物ページの配置の角度が異なる場合にも、同じ角度となるように回転させて比較を行うことができるので、各処理工程によって作成される台紙画像データの印刷物ページの配置の角度が異なる場合でも、適切に、工程間にまたがる検版を行うことができる。
【００１１】
なお、この発明は、種々の形態で実現することが可能であり、例えば、検版方法および検版装置、印刷製版方法および印刷製版装置、これらの方法または装置の機能を実現するためのコンピュータプログラム、そのコンピュータプログラムを記録した記録媒体、そのコンピュータプログラムを含み搬送波内に具現化されたデータ信号、等の形態で実現することができる。
【００１２】
【発明の実施の形態】
次に、本発明の実施の形態を実施例に基づいて以下の順序で説明する。
Ａ．装置の全体構成：
Ｂ．実施例：
Ｃ．変形例：
【００１３】
Ａ．装置の全体構成：
図１は、本発明の一実施例である印刷システムの全体構成を示す説明図である。この印刷システムは、印刷物をデザインして印刷物画像データを作成するためのデザイン装置１００と、この印刷物画像データに基づいて刷版または印刷物を作成するための印刷製版システム２００とを備えている。印刷製版システム２００は、ワークフロー制御システム３００と、３つの出力機４１０、４２０、４３０とがネットワークを介して接続されることによって構成されている。すなわち、簡易プルーフ出力機４１０は、印刷物画像データより得られるデジタルデータに応じて校正刷りを印刷し、網点プルーフ出力機４２０は、デジタルデータに網点処理（網掛け処理）を行ったデータの校正刷りを出力し、プレート出力機４３０は、デジタルデータから刷版を直接作成する。なお、プレート出力機４３０は、ＣＴＰ（Ｃｏｍｐｕｔｅｒ  Ｔｏ  Ｐｌａｔｅ）装置とも呼ばれている。また、ワークフロー制御システム３００には、ＣＲＴディスプレイ、ＬＣＤディスプレイ等の表示部４００が接続されており、印刷物画像データに応じた印刷物画像等を表示する。
【００１４】
ワークフロー制御システム３００は、印刷物画像データを処理するための、プリフライト処理部３１０と、台割面付け処理部３２０と、自動製版処理部３３０と、網点プルーフ処理部３４０と、最終出力処理部３５０と、検版実行部３６０とを備えている。各処理部の処理の詳細については後述する。
【００１５】
ワークフロー制御システム３００は、さらに、これらの各処理部３１０〜３６０の動作を制御するための制御部３９０を備えている。制御部３９０は、パラメータ決定部３９２を備えており、ユーザは、パラメータ決定部３９２を介して、各処理部３１０〜３６０の制御パラメータを設定することができる。１つの印刷製版作業（「ジョブ」と呼ぶ。）に対する各種の制御パラメータは、ジョブチケットＪＴと呼ばれるデータファイルにまとめられる。すなわち、各処理部３１０〜３６０が１つのジョブを実行する際には、ジョブチケットＪＴ内の制御パラメータに従って各処理部の処理内容が制御される。
【００１６】
なお、ワークフロー制御システム３００の各処理部３１０〜３６０や制御部３９０の機能は、ワークフロー制御システム３００の図示しないハードディスクに格納されたコンピュータプログラムをコンピュータ（ワークフロー制御システム３００）が実行することによって実現される。また、画像データ等の処理に用いるデータは、ワークフロー制御システム３００の図示しないメモリやハードディスクに適宜格納される。
【００１７】
Ｂ．実施例：
Ｂ１．印刷製版処理：
図２は、ワークフロー制御システム３００によって実行される印刷製版処理の流れを説明するブロック図である。この例では、図１に示す各処理部３１０〜３６０が、デザイン装置１００から受け取った特定形式の印刷物画像データＰＤ０（例えば、ＰＤＦデータやＰｏｓｔＳｃｒｉｐｔデータ。）を処理するために、以下のような処理工程を実行する。
【００１８】
（１）プリフライト処理工程Ｓ１１：
プリフライト処理は、いわゆる前処理であり、印刷物画像データの内容を解析して、印刷製版用の処理を問題無く実行できるか否かを確認するための処理である。例えば、ＰＤＦファイルやＰｏｓｔＳｃｒｉｐｔファイルの記述から、（ｉ）文書内にリンクが張られているオブジェクトのファイルの有無、（ｉｉ）標準的でないフォントデータの文書内への埋め込みの有無、などが確認される。不足しているデータやファイルがある場合には、データの追加や仕様の変更をユーザに要求する。また、印刷物画像データＰＤ１は、プレビュー表示工程Ｓ２１において表示用解像度（例えば、７２ｄｐｉ）にＲＩＰ展開処理（Ｒａｓｔｅｒ  Ｉｍａｇｅ  Ｐｒｏｃｅｓｓｉｎｇ。走査線順次に表現されているデータへの展開処理。）され、展開されたプレビュー用ＲＩＰ展開画像データＲＩＰＤ１に応じた印刷物画像が、表示部４００（図１）に表示される。ユーザは、表示部４００に表示された印刷物画像を用いて、適切な印刷物画像データであるか否かの確認を行うことができる。なお、これらの２つの処理工程Ｓ１１、Ｓ２１とは、プリフライト処理部３１０によって実行される。
【００１９】
（２）台割面付け処理工程Ｓ１２：
印刷物画像を出力するための、いわゆる台割処理や面付け処理（１つの出力ページに複数の印刷物ページ（最終的な印刷物のページ）を配置する処理。）を行う。印刷物画像の出力としては、例えば、表示部４００（図１）への表示や、校正刷り、網フィルム、プレート等への出力が行われる。これらの印刷物画像の出力に用いられる出力装置は、その出力可能な大きさ等の性能がそれぞれ異なる場合が多いため、出力ページ（出力装置が出力するページ）に対する印刷物ページの配置（以下、印刷物ページレイアウトと呼ぶ）は、利用する出力装置のそれぞれに対応して設定できるのが好ましい。この実施例では、印刷物画像の出力装置として、表示部４００（図１）と、簡易プルーフ出力機４１０と、網点プルーフ出力機４２０と、プレート出力機４３０とを利用可能である。表示部４００へのプレビューに関する印刷物ページレイアウトとしては、例えば、１画面に印刷物ページを１ページ表示（出力）する設定が用いられる。他の３つの出力については、この台割面付け処理工程Ｓ１２において、独立に印刷物ページレイアウト条件が設定される（詳細は後述）。設定された印刷物ページレイアウト条件は、各処理部の制御パラメータとしてジョブチケットＪＴ（図１）に格納され、各出力用に印刷物ページの配置を行う際に利用される。
【００２０】
台割面付け処理工程Ｓ１２で得られた印刷物画像データＰＤ２は、簡易プルーフ出力工程Ｓ２２において、簡易プルーフ用の印刷物ページレイアウト条件に従って台割面付け処理され、簡易プルーフ出力用の解像度（例えば、６００ｄｐｉ）に合わせてＲＩＰ展開処理され、展開された簡易プルーフ用ＲＩＰ展開画像データＲＩＰＤ２に応じた校正刷りが簡易プルーフ出力機４１０（図１）より出力される。ユーザは、出力された校正刷りを確認することによって、校正を行うことができる。また、簡易プルーフ用ＲＩＰ展開画像データＲＩＰＤ２は、簡易プルーフ用の印刷物ページレイアウトに従って、印刷物ページが配置された画像データであるので、ユーザは、簡易プルーフ出力機４１０の性能に合わせて印刷物ページが配置された適切な校正刷りを得ることができる。このように、印刷物画像の出力を行う際には、設定された印刷物ページレイアウトに従って印刷物ページが割り当てられた画像データ（以下、台紙画像データと呼ぶ。この例では、簡易プルーフ用ＲＩＰ展開画像データ。）が作成され、作成された台紙画像データに応じて印刷物画像が出力される。すなわち、台紙画像データとは、実際の印刷物の１つ以上のページが台紙上に配置された状態を表す画像データである。なお、これらの２つの処理工程Ｓ１２、Ｓ２２は、台割面付け処理部３２０によって実行され、また、台割面付け処理部３２０は印刷物ページレイアウト設定部として機能する。
【００２１】
（３）自動製版処理工程Ｓ１３：
いわゆる、スミノセや、白フチ、トラッピングなどの処理を行う。この処理工程Ｓ１３は、自動製版処理部３３０によって実行される。
【００２２】
（４）網点プルーフ出力工程Ｓ１４：
自動製版処理工程Ｓ１３にて処理された印刷物画像データＰＤ３に対する、予め設定された所定の解像度に合わせたＲＩＰ展開処理と網点処理（網掛け処理）とを行い、各インク色（例えば、ＹＭＣＫの４色）の印刷物画像を表すラスタデータ（印刷物画像データＰＤ４）を作成する。所定の解像度としては、例えば、最終出力用の解像度（４０００ｄｐｉ）が用いられる。さらに、網点プルーフ用の印刷物ページレイアウトに従った印刷物ページの配置が行われ、網点プルーフ出力機４２０に適した台紙画像データとしての網点プルーフ用ＲＩＰ展開画像データＲＩＰＤ３が作成される。作成された網点プルーフ用ＲＩＰ展開画像データＲＩＰＤ３は網点プルーフ出力機４２０（図１）に転送され、網点プルーフ校正刷りが網点プルーフ出力機４２０より出力される。ユーザは、出力された校正刷りを確認することによって、校正を行うことができる。なお、この処理工程Ｓ１４は、網点プルーフ処理部３４０によって実行される。
【００２３】
（５）最終出力処理工程Ｓ１５：
網点プルーフ出力工程Ｓ１４の後の印刷物画像データＰＤ４を用いて、プレート出力機４３０（図１）に適した最終出力用ＲＩＰ展開画像データＲＩＰＤ４が作成される。最終出力用ＲＩＰ展開画像データＲＩＰＤ４は、最終出力（プレート出力）用の印刷物ページレイアウトに従って印刷物ページが配置された台紙画像データであり、プレート出力用の解像度に合わせて作成される。作成された最終出力用ＲＩＰ展開画像データＲＩＰＤ４は、プレート出力機４３０に転送され、転送されたデータに応じた刷版がプレート出力機４３０によって作成される。なお、この処理工程Ｓ１５は、最終出力処理部３５０によって実行される。
【００２４】
（６）工程間検版Ｓ３１〜Ｓ３３：
異なる工程によって作成された台紙画像データを比較検査する検版を行う。この実施例では、３つの工程間検版Ｓ３１〜Ｓ３３が実行される。第１の検版工程Ｓ３１では、簡易プルーフ用の台紙画像データＲＩＰＤ２を、プレビューで確認された台紙画像データＲＩＰＤ１を用いて検査する検版が行われる。この検版工程Ｓ３１は、簡易プルーフ出力工程Ｓ２２において簡易プルーフ校正刷りが出力される前に実行される。検版の結果、出力用の台紙画像データＲＩＰＤ２が適切であるとの承認がなされたら、簡易プルーフ校正刷りの出力が行われ、処理が進められる。第２の検版工程Ｓ３２は、網点プルーフ用の台紙画像データＲＩＰＤ３を、簡易プルーフの校正において承認された台紙画像データＲＩＰＤ２を用いて検査する工程であり、網点プルーフ出力工程Ｓ１４において網点プルーフ校正刷りを出力する前に実行される。第３の検版工程Ｓ３３は、最終出力用の台紙画像データＲＩＰＤ４を、網点プルーフの校正において承認された台紙画像データＲＩＰＤ３を用いて検査する工程であり、最終出力処理工程Ｓ１５において最終的な出力を行う前に実行される。このように、確認や校正による承認が行われた台紙画像データとの比較検版を、印刷物画像を出力する前に実行することによって、適切でない画像データを用いて処理を続行することを抑制することができる。なお、これらの検版処理においては、各台紙画像データを作成した際に用いられた印刷物ページレイアウトに従って、同じ印刷物ページに対応する領域の比較検査が、全ての印刷物ページに対して実行される（詳細は後述）。また、これらの検版処理Ｓ３１〜Ｓ３３は、検版実行部３６０（図１）によって実行される。
【００２５】
Ｂ２．印刷物ページレイアウト設定：
図３は、この実施例における、表示部４００上から制御パラメータの設定を行う様子を示す説明図である。この実施例では、表示部４００（図１）に、図３に示す画面が表示される。ユーザは、この画面を操作することによって、１つのジョブ（印刷製版作業）のフローパターンの設定と、各処理工程の制御パラメータの設定とを行うことができる。図示されているように、画面中には、ジョブチケットの名称を設定するチケット名称設定部ＴＮと、処理工程の流れを設定するフローパターン設定部ＦＡと、フローパターン中の各処理の制御パラメータを設定する制御パラメータ設定部ＰＡと、設定した内容を確認するための確認ボタンＢＯと、設定した内容を破棄するためのキャンセルボタンＢＣとを有している。
【００２６】
チケット名称設定部ＴＮは、ジョブチケットＪＴ（図１）を識別するための名称を設定するフィールドを含んでいる。ジョブチケットＪＴは、各処理工程の制御パラメータを含んだデータファイルである。新しい名称を設定することで、新規のジョブの設定を行うことができる。校正後の印刷物データの処理を行う場合には、前回使用した名称を設定することによって、同じ設定での処理を行うことができる。
【００２７】
フローパターン設定部ＦＡは、実行される処理のフローパターンの設定と確認を行うため設定部である。図３に示した例では、図２に示した処理の流れに応じたフローパターンが示されている。フローパターン内における「プルーフ１」は簡易プルーフ出力工程Ｓ２２（図２）に対応し、「プルーフ２」は網点プルーフ校正刷りの出力に対応している。また、「ＲＩＰ」「網点」は、それぞれ、ＲＩＰ展開処理と網掛け処理とを表している。
【００２８】
制御パラメータ設定部ＰＡは、フローパターン設定部ＦＡに示される各処理工程の制御パラメータの設定と確認を行うための設定部である。この実施例では、ユーザは、フローパターン設定部ＦＡにおいて選択した処理工程（太枠で示された処理工程）に関する制御パラメータの設定を、制御パラメータ設定部ＰＡを介して行うことができる。図３の例では、フローパターン設定部ＦＡにおいて「面付」が選択されており、「面付」の制御パラメータを設定するための４つのボタン（ページ割り当て設定ボタンＢＰＬ、プルーフ１レイアウト設定ボタンＢＰ１、プルーフ２レイアウト設定ボタンＢＰ２、ＣＴＰレイアウト設定ボタンＢＣＴＰ）が制御パラメータ設定部ＰＡ内に表示されている。ページ割り当て設定ボタンＢＰＬは、印刷物画像データと、実際に印刷される印刷物のページとの対応関係を設定するためのボタンである。プルーフ１レイアウト設定ボタンＢＰ１と、プルーフ２レイアウト設定ボタンＢＰ２と、ＣＴＰレイアウト設定ボタンＢＣＴＰとは、それぞれ、プルーフ１（簡易プルーフ）、プルーフ２（網点プルーフ）、プレートの出力を行う際に用いる印刷物ページレイアウト条件を設定するためのボタンである（詳細は後述）。
【００２９】
図４は、図３に示す画面におけるページ割り当て設定ボタンＢＰＬを操作することによって表示される画面を示す説明図である。ユーザは、この画面を操作することによって、印刷物画像データと、実際に印刷される印刷物のページとの対応関係を設定することができる。図示されているように、画面中には、印刷物のページの大きさを設定するページサイズ設定部ＭＰＳと、実際の印刷物のページを設定するための印刷物ページテーブルＴＰＰと、各印刷物ページに用いる印刷物画像データを格納したファイル名を設定するためのファイル名テーブルＴＦＮと、印刷物画像データの中の利用するページを設定するための利用ページテーブルＴＵＰと、設定した内容を確認するための確認ボタンＢＯと、設定した内容を破棄するためのキャンセルボタンＢＣとが表示されている。
【００３０】
ページサイズ設定部ＭＰＳは、最終的な印刷物のページの大きさを設定するためのメニューを含んでおり、図４の例では、「Ａ４」サイズが選択されている。
【００３１】
印刷物ページテーブルＴＰＰ、ファイル名テーブルＴＦＮ、利用ページテーブルＴＵＰには、印刷物ページに対応する印刷物画像データのファイル名とそのデータの中の利用するページとが同じ行に記されている。例えば、図４に示す行Ｒ１は、印刷物のページ番号１６〜２４の９ページに、「２章．ＰＤＦ」という名前の印刷物画像データファイルのページ番号５〜１３の９ページが割り当てられること示している。このように、印刷物画像データが格納された複数のファイルを用いる場合にも、ページ割り当てを行うことによって、適切な印刷製版を行うことができる。
【００３２】
図５は、図３に示す画面においてプルーフ１レイアウト設定ボタンＢＰ１を操作することによって表示される画面を示す説明図である。ユーザは、この画面を操作することによって、簡易プルーフ（プルーフ１）の校正刷りを行う際に用いる印刷物ページレイアウト条件の設定を行うことができる。図示されているように画面中には、面数（１ページの出力ページに配置する印刷物ページのページ数）を設定するための面数設定部ＭＮと、出力ページに対する印刷物ページの位置と、向きと、ページ番号の組み合わせとを設定するためのページレイアウト設定部ＬＡと、設定した内容を確認するための確認ボタンＢＯと、設定した内容を破棄するためのキャンセルボタンＢＣとが表示されている。
【００３３】
面数設定部ＭＮは、１枚の出力ページに対する印刷物ページの配置数を設定するためのフィールドを含んでおり、ユーザは、縦方向と横方向のそれぞれの方向についてのページ数を設定することができる。図５の例では、縦と横に１ページずつ、すなわち、１ページの出力ページに１ページの印刷物ページが割り当てられている。
【００３４】
ページレイアウト設定部ＬＡには、図４の画面で設定された印刷物ページの大きさに応じた印刷物ページ領域ＰＰＡと、出力装置（この例では、簡易プルーフ出力機４１０（図１））の出力ページの大きさに応じた台紙領域ＰＭＡと、台紙領域ＰＭＡ内における印刷物ページ領域ＰＰＡの位置とが示されている。ユーザはこれらの位置を操作することによって、台紙領域ＰＭＡにおける印刷物ページ領域ＰＰＡの位置を設定することができる（なお、複数の出力ページが出力される場合には、設定された位置設定が共通して用いられる）。また、印刷物ページ領域ＰＰＡ内に記された矢印と数字は、印刷物ページの向きとページ番号の組み合わせを表しており、ユーザは、台紙領域ＰＭＡ内における印刷物ページの向き（角度）や、印刷物ページのページ番号の組み合わせを任意に設定することができる。図５の例では、ページ番号１が割り当てられている。２ページ目以降の出力ページにも、順番に印刷物ページが１ページずつ割り当てられる。印刷物ページのページ番号の組み合わせは、特に、１つの台紙領域ＰＭＡに複数の印刷物ページ領域ＰＰＡを割り当てる場合に、出力結果の裁断や折り方などの製本方法を考慮して設定される（複数のページを割り当てる場合については後述する）。このように印刷物ページレイアウト条件を設定すれば、印刷物の各ページが、何枚目の出力ページのどの位置にどの向きに配置されるかを適切に設定することができる。なお、設定された印刷物ページレイアウト条件はジョブチケットＪＴ（図１）に格納され、簡易プルーフ出力工程Ｓ２２（図２）において、簡易プルーフ用ＲＩＰ展開画像データＲＩＰＤ２を作成する際に利用される。
【００３５】
図６は、図３に示す画面においてプルーフ２レイアウト設定ボタンＢＰ２を操作することによって表示される画面を示す説明図である。ユーザは、この画面を操作することによって、網点プルーフ（プルーフ２）の校正刷りを行う際に用いる印刷物ページレイアウト条件の設定を行うことができる。画面構成とユーザが設定可能な内容は図５に示す例と同じである。この例では、１つの台紙領域ＰＭＡに２つの印刷物ページ領域ＰＰＡ１とＰＰＡ２が割り当てられている。ページ番号の組み合わせとしては、左に位置する印刷物ページ領域ＰＰＡ１にページ番号１が割り当てられ、右に位置する印刷物ページ領域ＰＰＡ２にページ番号２が割り当てられている。２ページ目以降の出力ページにも、同様の順番に２つの印刷物ページが割り当てられる。その結果、左側に奇数ページ、右側に偶数ページが割り当てられる。
【００３６】
図７は、図３に示す画面においてＣＴＰレイアウト設定ボタンＢＣＰＴを操作することによって表示される画面を示す説明図である。ユーザは、この画面を操作することによって、最終的なプレートの出力を行う際に用いる印刷物ページレイアウト条件の設定を行うことができる。画面構成とユーザが設定可能な内容は図５に示す例と同じである。この例では、１つの台紙領域ＰＭＡに４つの印刷物ページ領域ＰＰＡ１〜ＰＰＡ４が割り当てられている。ページ番号の組み合わせと向きについては、最終的な印刷物の製本方法を考慮し、１、４、５、８ページの４つの印刷物ページが、製本した際に正しい順序と向きに揃うように割り当てられている。２ページ目以降の出力ページについても同様に、製本方法を考慮して、適宜、印刷物ページが割り当てられる。なお、１つの台紙領域に配置される印刷物ページ数が同じ（この例では４つ）であっても、印刷物の綴じ方が異なれば、割り当てられる印刷物ページの番号の組み合わせや向きが異なる場合もある。
【００３７】
Ｂ３．工程間検版：
図８は、印刷物ページレイアウト条件を用いた検版を説明する説明図である。この例では、最終出力用の台紙画像データ（最終出力用ＲＩＰ展開画像データ）ＲＩＰＤ４と、網点プルーフ校正において承認された台紙画像データ（網点プルーフ用ＲＩＰ展開画像データ）ＲＩＰＤ３とを比較する検版工程Ｓ３３において、４ページ目（ページ番号が４）の印刷物ページを比較検査する場合を説明している。
【００３８】
検版実行部３６０は、まず、ジョブチケットＪＴに格納された印刷物ページレイアウト条件を用い、実際の印刷物の１つ以上のページが台紙上に配置された状態を表す台紙画像データの中から、比較に用いる画像データを切り出す処理を行う。例えば、４ページ目の印刷物ページの比較を行う際には、網点プルーフに用いた台紙画像データＲＩＰＤ３の中から、４ページ目（ページ番号４）に対応する領域の画像データＲＩＰＤ３Ｐ４を切り出す。同様に、最終出力用の台紙画像データＲＩＰＤ４の中から、４ページ目（ページ番号４）に対応する領域の画像データＲＩＰＤ４Ｐ４を切り出す。また、この実施例では、台紙画像データＲＩＰＤ４内において４ページ目が回転して配置されているため、４ページ目に対応する画像データＲＩＰＤ４Ｐ４を、印刷物ページレイアウト条件に従って回転させ、画像データＲＩＰＤ３Ｐ４と同じ向きの画像データＲＩＰＤ４Ｐ４ａを作成する。次に、２つの画像データＲＩＰＤ３Ｐ４とＲＩＰＤ４Ｐ４ａとの比較を行う。この実施例では、検版実行部３６０は、２つの画像データＲＩＰＤ３Ｐ４、ＲＩＰＤ４Ｐ４ａのページ内における同じ位置の濃度（階調値）の差異（差分）を、複数の位置について算出し、濃度の差分で構成された検版結果データを作成する。この実施例のように、比較対象の画像データが予め所定の解像度に展開された画像データである場合には、各画素位置における画素値の差分を算出することによって検版結果データを作成することができる。比較対象の画像データの解像度が互いに異なる場合には、解像度の高い画像データを低い解像度に合わせる解像度変換を行った後に検版結果データを作成するのが好ましい。
【００３９】
図９は、表示部４００（図１）に表示される検版処理結果画面を説明する説明図である。図９に示す画面には、検版結果データで表された検版結果画像ＩＭＧと、処理を進行させるためのボタンＢＧと、処理を中断させるためのボタンＢＳと、検版結果画像ＩＭＧが表す画像のページ番号を示すページ番号表示部ＢＮＳとが表示されている。この実施例では、検版結果画像ＩＭＧの表示の際に、濃度（階調値）の差分が予め設定されたしきい値以上である画素が濃く（例えば、Ｍ版（マゼンタ色）１００％）表示され、しきい値未満である画素が薄く表示される。図９の例では、領域ＤＩにおける数字の「２」が「３」に変わっている。そのため、図９に示す画面ＩＭＧには、この変更が行われた領域ＤＩにおいて、濃度差分が大きくなった画素が濃く（例えば、Ｍ版１００％）表示され、その他の濃度差分が小さい画素が薄く表示されている。このように、濃度差分がしきい値以上である画素、すなわち、変更のあった箇所が目立つように表示すれば、ユーザは、変更箇所の確認を容易に行うことができる。しきい値としては、例えば、（濃度）階調値の取りうる範囲が０〜２５５である場合に、３０としても良い。このしきい値が大きいほど、より濃度差分が大きい画素のみを目立たせることができる。すなわち、しきい値が大きいほど、より大きい違いのみを確認する検版を実行することができる。
【００４０】
ユーザは、このように、変更があった箇所が目立つように表示された画面を確認することによって、その画像データが適切なものか否かの判断を容易に行うことができる。ユーザは、画像データが適切であると判断した場合には、ボタンＢＧを操作することによって、処理を進行させることができる。また、不適切な変更が生じている場合には、ボタンＢＳを操作することよって、処理を中断させることができる。なお、変更があった箇所を目立つように表示する方法としては、変更があった箇所を点滅させたり、枠で囲ったりする方法を用いても良い。また、変更のあった箇所を拡大表示したり、特定の色で表示したりしても良い。
【００４１】
以上のように、この実施例では、工程間にまたがる検版を行うことが可能であるので、初校の出力のための処理の段階においても検版を行うことが可能である。さらに、印刷物ページレイアウト条件を用いた工程間検版を行うことができるので、印刷物ページレイアウト条件が異なる工程間においても、適切な検版を行うことができる。また、確認（承認）された台紙画像データを用いた検版を行うことによって、印刷製版に不適切な画像データを用いて処理を続行することを抑制することができる。
【００４２】
また、台紙画像データがモノクロデータではなく複数の色成分（ＲＧＢやＹＭＣＫ等）を含むデータである場合には、検版実行部３６０は各色成分毎に比較を行うのが好ましい。こうすることで、各色成分毎の検版を適切に行うことができる。この場合には、検版結果画像において、各色成分の検版処理結果を１つの画像にまとめ、各色成分のいずれかの濃度差分がしきい値以上である画素を目立つように表示しても良く、また、各色成分の検版処理結果を個別に表示しても良い。また、所定のしきい値は、色成分によって異なる値を設定しても良い。
【００４３】
この実施例では、印刷物ページレイアウト条件を用いた工程間検版として第３の検版工程Ｓ３３について説明したが、第１の検版工程Ｓ３１（図２）や、第２の検版工程Ｓ３２についても、同様の処理が実行される。
【００４４】
以上説明したように、上述の各実施例では、工程間にまたがる検版を行うことが可能であるので、初校の出力のための処理の段階においても検版を行うことが可能である。さらに、印刷物ページレイアウト条件を用いた工程間検版を行うことができるので、印刷物ページレイアウト条件が異なる工程間においても、適切な検版を行うことができる。
【００４５】
なお、この発明は上記の実施例や実施形態に限られるものではなく、その要旨を逸脱しない範囲において種々の態様において実施することが可能であり、例えば次のような変形も可能である。
【００４６】
Ｃ．変形例：
Ｃ１．変形例１：
印刷製版システムの構成は、図１や図２に示す構成に限るものではなく、印刷製版において必要な処理機能を有する処理部を適宜組み合わせて構成することができる。また、処理部としては、その機能をソフトウェアによって実現する代わりに、その機能を実現する独立した装置を準備して用いる構成としても良い。例えば、ＲＩＰ展開処理装置をワークフロー制御システム３００（図１）に接続し、ＲＩＰ展開処理をＲＩＰ展開処理装置に実行させる構成としても良い。また、表示部４００とワークフロー制御システム３００とをネットワークを介して接続し、ユーザがネットワークを介して作業を進める構成としても良い。また、ワークフロー制御システム３００に印刷物を印刷する印刷機を接続し、ワークフロー制御システム３００が印刷物データに応じた印刷データを作成して印刷機に転送することによって印刷物を作成する構成としても良い。この場合には、最終出力処理部３５０が印刷機に適した印刷データを作成するのが好ましい。このようにすれば、ユーザは手軽に印刷物を得ることができる。
【００４７】
Ｃ２．変形例２：
上述の各実施例においては、ＲＩＰ展開後の画像データを台紙画像データとして用いているが、ＲＩＰ展開していない画像データ（例えば、ベクトル画像データ）を台紙画像データとして用いる構成としても良い。この場合には、所定の解像度に展開した後に比較検版を行うようにすれば、容易に検版結果データを得ることができる。なお、このような場合として、例えば、ベクトル画像データに応じた印刷物画像を出力可能な出力機を用いる場合がある。いずれの場合も、工程間にまたがる検版を行うことによって、初校の出力のための処理の段階においても検版を行うことが可能となる。さらに、印刷物ページレイアウト条件を用いた工程間検版を行うことによって、印刷物ページレイアウト条件が異なる工程間においても、適切な検版を行うことができる。さらに、確認や承認が行われた画像データを用いて検版を行うことによって、印刷製版に不適切な画像データを用いて処理を続行することを抑制することができる。
【００４８】
Ｃ３．変形例３：
上述の各実施例において、１つの台紙画像データには１つのジョブの印刷物が割り当てられているが、異なるジョブの印刷物を同じ台紙画像データに割り当てて処理を行う構成としても良い。このような場合として、例えば、最終出力処理工程において、異なるジョブの印刷物を同じ台紙に配置して刷版を作成する場合がある。このような場合には、最終出力処理工程用の印刷物ページレイアウト条件として、異なるジョブの印刷物のそれぞれの印刷物ページを同じ台紙画像データに割り当てるための条件が設定される。よって、このような印刷物ページレイアウト条件を用いることによって、台紙画像データの中から、それぞれの印刷物の各印刷物ページに対応するデータを適切に選択することができる。よって、印刷物ページレイアウト条件を用いることによって、それぞれの印刷物の工程間検版を適切に実行することができる。
【図面の簡単な説明】
【図１】印刷システムの全体構成を示す説明図。
【図２】印刷製版処理の流れを説明するブロック図。
【図３】制御パラメータの設定を行う様子を示す説明図。
【図４】ページ割り当て設定用の画面を示す説明図。
【図５】プルーフ１レイアウト設定用の画面を示す説明図。
【図６】プルーフ２レイアウト設定用の画面を示す説明図。
【図７】ＣＴＰレイアウト設定用の画面を示す説明図。
【図８】印刷物ページレイアウト条件を用いた検版を説明する説明図。
【図９】検版処理結果画面を説明する説明図。
【符号の説明】
１００…デザイン装置
２００…印刷製版システム
３００…ワークフロー制御システム
３１０…プリフライト処理部
３２０…台割面付け処理部
３３０…自動製版処理部
３４０…網点プルーフ処理部
３５０…最終出力処理部
３６０…検版実行部
３９０…制御部
３９２…パラメータ決定部
４００…表示部
４１０…簡易プルーフ出力機
４２０…網点プルーフ出力機
４３０…プレート出力機
ＪＴ…ジョブチケット
ＴＮ…チケット名称設定部
ＦＡ…フローパターン設定部
ＰＡ…制御パラメータ設定部
ＢＯ…確認ボタン
ＢＣ…キャンセルボタン
ＭＮ…面数設定部
ＬＡ…ページレイアウト設定部
ＰＰＡ…印刷物ページ領域
ＰＭＡ…台紙領域
ＩＭＧ…検版結果画像
【図１】
2004148734.tif 000003
【図２】
2004148734.tif 000004
【図３】
2004148734.tif 000005
【図４】
2004148734.tif 000006
【図５】
2004148734.tif 000007
【図６】
2004148734.tif 000008
【図７】
2004148734.tif 000009
【図８】
2004148734.tif 000010
【図９】
2004148734.tif 000011